(57)【要約】【課題】  電子機器が折り畳まれた状態でカメラを起動させる場合は、カメラ起動の行為を周囲に容易に気付かせることができるようにする。【解決手段】  開示される折り畳み式カメラ付き携帯電話１０は、アンテナ５の伸張状態あるいは収納状態を検出するアンテナ伸張／収納状態検出回路７から出力される検出信号に基づいて、アンテナ５が伸張しているときこのアンテナ５の伸張時間を検出するアンテナ伸張時間検出回路８と、アンテナ伸張時間検出回路８から出力される検出信号に基づいて、携帯電話１０が折り畳まれていない開状態あるいは折り畳まれている閉状態を検出する携帯電話開状態／閉状態検出回路９と、携帯電話開状態／閉状態検出回路９から出力される検出信号に基づいて、携帯電話１０が閉状態であるときカメラ５を起動させるシャッタキー６を動作可能に制御するシャッタキー制御回路１１とを少なくとも備えている。【選択図】図２
2005142998.tif 000002
【特許請求の範囲】
【請求項１】
文字情報又は画像情報を表示する表示部と、複数の情報入力用キーが配置されている操作部とが一体に折り畳み可能に構成されるとともにカメラを備え、折り畳まれた状態でも前記カメラを起動させることができるように構成されて成る折り畳み式カメラ付き電子機器であって、
伸縮可能な送受信用アンテナと、
前記アンテナの伸張状態あるいは収納状態を検出するアンテナ伸張／収納状態検出回路と、
前記アンテナ伸張／収納状態検出回路から出力される検出信号に基づいて、前記アンテナが伸張しているとき該アンテナの伸張時間を検出するアンテナ伸張時間検出回路と、
前記アンテナ伸張時間検出回路から出力される検出信号に基づいて、電子機器が折り畳まれていない開状態あるいは折り畳まれている閉状態を検出する電子機器開状態／閉状態検出回路と、
前記電子機器開状態／閉状態検出回路から出力される検出信号に基づいて、前記電子機器が閉状態であるとき前記カメラを起動させるシャッタキーを動作可能に制御するシャッタキー制御回路と、
を備えていることを特徴とする折り畳み式カメラ付き電子機器。
【請求項２】
前記電子機器開状態／閉状態検出回路から出力される検出信号に基づいて、前記電子機器が閉状態であるとき前記カメラを起動可能に制御するとともに、前記表示部に設けられている前記文字情報又は前記画像情報を表示するための表示画面を表示可能に制御するカメラ起動／画面表示制御回路と、
前記アンテナ伸張／収納状態検出回路から出力される検出信号に基づいて内蔵しているアンテナマッチング回路の切り替えを行うアンテナマッチング切替回路と、
を備えていることを特徴とする請求項１記載の折り畳み式カメラ付き電子機器。
【請求項３】
前記アンテナ伸張時間検出回路は、前記アンテナ伸張／収納状態検出回路から前記アンテナの伸張状態に相当した検出信号が入力されると伸張時間の検出を開始し、予め設定された検出制限時間以内に前記アンテナ伸張／収納状態検出回路から前記アンテナの収納状態に相当した検出信号が入力されたときに伸張時間の検出を終了して、伸張時間検出信号を出力することを特徴とする請求項１又は２記載の折り畳み式カメラ付き電子機器。
【請求項４】
前記アンテナ伸張時間検出回路は、第１のスイッチを有し、前記アンテナが伸張されるときに前記第１のスイッチをオフさせる一方、前記アンテナが収納されるときに前記第１のスイッチをオンさせ、該第１のスイッチの前記オフから前記オンまでの時間を前記伸張時間として検出することを特徴とする請求項３記載の折り畳み式カメラ付き電子機器。
【請求項５】
前記電子機器開状態／閉状態検出回路は、前記前記アンテナ伸張時間検出回路から前記アンテナの前記伸張時間検出信号が入力されたとき、前記電子機器の閉状態に相当した閉状態検出信号を出力することを特徴とする１乃至４のいずれか一に記載の折り畳み式カメラ付き電子機器。
【請求項６】
前記電子機器開状態／閉状態検出回路は、第２のスイッチを有し、前記電子機器が閉じられるときに前記第２のスイッチをオンさせて、前記閉状態として検出することを特徴とする請求項５記載の折り畳み式カメラ付き電子機器。
【請求項７】
前記シャッタキー制御回路は、前記電子機器が閉状態での前記シャッタキーの操作を有効状態あるいは無効状態とするように切り替える切替回路を有し、前記電子機器開状態／閉状態検出回路から前記閉状態に相当した検出信号が入力されたとき、前記閉状態での前記シャッタキーの操作が無効状態である場合は有効状態となるように切り替えることを特徴とする請求項１乃至６のいずれか一に記載の折り畳み式カメラ付き電子機器。
【発明の詳細な説明】
【技術分野】
【０００１】
この発明は、折り畳み式カメラ付き電子機器に係り、詳しくは、電子機器が折り畳まれた状態でもカメラを起動させることができる折り畳み式カメラ付き電子機器に関する。
【背景技術】
【０００２】
例えば携帯電話のような携帯用電子機器（以下、単に電子機器とも称する）において、カメラ付きタイプのものが広く普及してきている。このようなカメラ付き携帯電話によれば、電話の本来の機能である音声の送受信に加えてカメラによる撮影画像の送信を行うことができ、さらに相手方の電話も同様なカメラを備えていれば相手方からの撮影画像の受信も行うことができるので、情報の伝達能力を飛躍的に向上させることができる。また、そのようなカメラ付き携帯電話では、携帯性の向上のためにほとんどのタイプのものが、送受信時以外では、文字情報又は画像情報を表示する表示部と、情報入力用キー群が配置されている操作部とが一体に折り畳み可能に構成されている。
【０００３】
ここで、上述のような折り畳み式カメラ付き携帯電話では、一般に、カメラを起動させるシャッタキーが他のキー群とともに上記操作部に配置されているので、携帯電話が折り畳まれた状態ではシャッタキーを操作できないためカメラを起動させることができないことになる。したがって、カメラを起動させる場合は、その都度携帯電話の操作部を開放した上で、シャッタキーを操作することによりカメラを起動させる必要があった。
【０００４】
そのような煩わしい操作を避けてカメラの起動を迅速に行うことができるようにした折り畳み式カメラ付き携帯電話が、例えば特許文献１に開示されている。同携帯電話は、図７に示すように、受話器側ケース１０１の表面にはカメラ１０２が設けられており、送話器側ケース１０３の側面にはシャッタキー１０４が設けられている。符号１０５は、伸縮可能な送受信用のアンテナである。このような構成によれば、両ケース１０１、１０３を閉じた状態（折り畳んだ状態）でも、シャッタキー１０４を操作することができるため、カメラを起動させることができる。
【０００５】
また、アンテナを利用して様々なアプリケーション・ソフトウエアを実行するように構成した携帯電話が、例えば特許文献２に開示されている。同携帯電話は、アンテナの直線運動及び回転運動あるいはいずれか一方を検出することによって、ボタン又はキーに関する操作を行うことなく、折り畳んだ状態でも所望の相手先に電話をかけることができるような、アプリケーション・ソフトウエアを実行することができる。
【０００６】
また、アンテナの引き出された状態を検出してキーパッド操作を受け付けるか否かを決定するように構成した携帯電話が、例えば特許文献３に開示されている。同携帯電話は、アンテナが本体内部から完全に引き出された状態にはないと検出された場合には、ユーザによるキーパッド操作を受け付けずに無効として通話不能とする。一方、アンテナが本体内部から完全に引き出された状態にあると検出された場合には、ユーザによるキーパッド操作を受け付けて有効として通話可能として、キーパッドの誤操作を防止する。
【特許文献１】特開２００３−１９８９１５号公報
【特許文献２】特開２００３−１２４８３５号公報
【特許文献３】特開平８−１８６６２７号公報
【発明の開示】
【発明が解決しようとする課題】
【０００７】
ところで、特許文献１に開示されている折り畳み式カメラ付き携帯電話では、携帯電話が折り畳まれた状態でカメラを起動させる場合、周囲に気付かれることなくカメラの起動が可能になるので、いわゆる、盗撮をも容易に許してしまう、という問題がある。
すなわち、特許文献１に開示されている折り畳み式カメラ付き携帯電話では、図７に示したような構成において、折り畳まれた状態でもシャッタキー１０４のみを操作することによりカメラを起動できるので、周囲に気付かれることなくカメラの起動が可能になるので、盗撮を目的とするような悪意を持ったカメラ撮影をも容易に許してしまうことになる。
【０００８】
また、特許文献２に開示されている携帯電話では、折り畳んだ状態でもアンテナの直線運動及び回転運動あるいはいずれか一方を検出することによって、様々なアプリケーション・ソフトウエアを実行することができるように構成されているが、この特許文献２ではカメラ付きの構成については考慮されていない。また、特許文献３に開示されている携帯電話では、アンテナの引き出された状態を検出してキーパッド操作を受け付けるか否かを決定し、アンテナが本体内部から完全に引き出された状態にあると検出された場合のみにユーザによるキーパッド操作を受け付けて有効として通話可能にするように構成されているが、この特許文献３では折り畳み式カメラ付きの構成については考慮されていない。
【０００９】
この発明は、上述の事情に鑑みてなされたもので、電子機器が折り畳まれた状態でカメラを起動させる場合は、カメラ起動の行為を周囲に容易に気付かせることができるようにした折り畳み式カメラ付き電子機器を提供することを目的としている。
【課題を解決するための手段】
【００１０】
上記課題を解決するために、請求項１記載の発明は、文字情報又は画像情報を表示する表示部と、複数の情報入力用キーが配置されている操作部とが一体に折り畳み可能に構成されるとともにカメラを備え、折り畳まれた状態でも上記カメラを起動させることができるように構成されて成る折り畳み式カメラ付き電子機器に係り、伸縮可能な送受信用アンテナと、上記アンテナの伸張状態あるいは収納状態を検出するアンテナ伸張／収納状態検出回路と、上記アンテナ伸張／収納状態検出回路から出力される検出信号に基づいて、上記アンテナが伸張しているとき該アンテナの伸張時間を検出するアンテナ伸張時間検出回路と、上記アンテナ伸張時間検出回路から出力される検出信号に基づいて、電子機器が折り畳まれていない開状態あるいは折り畳まれている閉状態を検出する電子機器開状態／閉状態検出回路と、上記電子機器開状態／閉状態検出回路から出力される検出信号に基づいて、上記電子機器が閉状態であるとき上記カメラを起動させるシャッタキーを動作可能に制御するシャッタキー制御回路とを備えていることを特徴としている。
【００１１】
また、請求項２記載の発明は、請求項１記載の折り畳み式カメラ付き電子機器に係り、上記電子機器開状態／閉状態検出回路から出力される検出信号に基づいて、上記電子機器が閉状態であるとき上記カメラを起動可能に制御するとともに、上記表示部に設けられている上記文字情報又は上記画像情報を表示するための表示画面を表示可能に制御するカメラ起動／画面表示制御回路と、上記アンテナ伸張／収納状態検出回路から出力される検出信号に基づいて内蔵しているアンテナマッチング回路の切り替えを行うアンテナマッチング切替回路とを備えていることを特徴としている。
【００１２】
また、請求項３記載の発明は、請求項１又は２記載の折り畳み式カメラ付き電子機器に係り、上記アンテナ伸張時間検出回路は、上記アンテナ伸張／収納状態検出回路から上記アンテナの伸張状態に相当した検出信号が入力されると伸張時間の検出を開始し、予め設定された検出制限時間以内に上記アンテナ伸張／収納状態検出回路から上記アンテナの収納状態に相当した検出信号が入力されたときに伸張時間の検出を終了して、伸張時間検出信号を出力することを特徴としている。
【００１３】
また、請求項４記載の発明は、請求項３記載の折り畳み式カメラ付き電子機器に係り、上記アンテナ伸張時間検出回路は、第１のスイッチを有し、上記アンテナが伸張されるときに上記第１のスイッチをオフさせる一方、上記アンテナが収納されるときに上記第１のスイッチをオンさせ、該第１のスイッチの上記オフから上記オンまでの時間を上記伸張時間として検出することを特徴としている。
【００１４】
また、請求項５記載の発明は、請求項１乃至４のいずれか一に記載の折り畳み式カメラ付き電子機器に係り、上記電子機器開状態／閉状態検出回路は、上記上記アンテナ伸張時間検出回路から上記アンテナの上記伸張時間検出信号が入力されたとき、上記電子機器の閉状態に相当した閉状態検出信号を出力することを特徴としている。
【００１５】
また、請求項６記載の発明は、請求項５記載の折り畳み式カメラ付き電子機器に係り、上記電子機器開状態／閉状態検出回路は、第２のスイッチを有し、上記電子機器が閉じられるときに上記第２のスイッチをオンさせて、上記閉状態として検出することを特徴としている。
【００１６】
また、請求項７記載の発明は、請求項１乃至６のいずれか一に記載の折り畳み式カメラ付き電子機器に係り、上記シャッタキー制御回路は、上記電子機器が閉状態での上記シャッタキーの操作を有効状態あるいは無効状態とするように切り替える切替回路を有し、上記電子機器開状態／閉状態検出回路から上記閉状態に相当した検出信号が入力されたとき、上記閉状態での上記シャッタキーの操作が無効状態である場合は有効状態となるように切り替えることを特徴としている。
【発明の効果】
【００１７】
この発明の折り畳み式カメラ付き電子機器によれば、電子機器が折り畳まれた状態でカメラを起動させる場合、アンテナを検出制限時間Ｘ秒以内に伸張状態と収納状態とを順次に切り替えたときのみカメラ起動を可能にすることができるので、カメラ起動の行為を周囲に容易に気付かせることができるようになる。したがって、従来のようにアンテナが折り畳まれた状態のままでは、カメラ起動が不可能になるので、盗撮を目的とするような悪意を持ったカメラ撮影を防止することができる。また、カメラ起動を可能にするには、上述のようにアンテナを切り替える操作を行うだけで、自動的に行わせることができるので、何ら複雑な操作は必要としない。
【発明を実施するための最良の形態】
【００１８】
文字情報又は画像情報を表示する表示部と、複数の情報入力用キーが配置されている操作部とが一体に折り畳み可能に構成されるとともにカメラを備え、折り畳まれた状態でもカメラを起動させることができるように構成されて成る折り畳み式カメラ付き電子機器において、伸縮可能な送受信用アンテナと、アンテナの伸張状態あるいは収納状態を検出するアンテナ伸張／収納状態検出回路と、アンテナ伸張／収納状態検出回路から出力される検出信号に基づいて、アンテナが伸張しているときこのアンテナの伸張時間を検出するアンテナ伸張時間検出回路と、アンテナ伸張時間検出回路から出力される検出信号に基づいて、電子機器が折り畳まれていない開状態あるいは折り畳まれている閉状態を検出する電子機器開状態／閉状態検出回路と、電子機器開状態／閉状態検出回路から出力される検出信号に基づいて、電子機器が閉状態であるときカメラを起動させるシャッタキーを動作可能に制御するシャッタキー制御回路とを少なくとも備えている。
【実施例】
【００１９】
図１は、この発明の実施例である折り畳み式カメラ付き電子機器の折り畳み前後の形態を概略的に示す図、図２は同折り畳み式カメラ付き電子機器の構成を示すブロック図、図３は同折り畳み式カメラ付き電子機器の一部の構成を概略的に示す側面図、図４は同折り畳み式カメラ付き電子機器の一部の構成の動作を示す図、図５は同折り畳み式カメラ付き電子機器の一部の構成を概略的に示す側面図、図６は同折り畳み式カメラ付き電子機器の動作を示すフローチャートである。なお、この例では電子機器としては携帯電話に例をとって説明する。
この例の折り畳み式カメラ付き携帯電話１０は、図１に示すように、文字情報又は画像情報を表示する例えば液晶表示素子から成る主表示画面１Ａを内側に備える表示部１と、複数の情報入力用キー２Ａが配置されている操作部２とがヒンジ部３を介して一体に折り畳み可能に構成されている。表示部１には送受信用アンテナ４が装着されて、この送受信用アンテナ４は、手動により送受信時に表示部１から伸張しかつ送受信時以外には表示部１に収納可能となるように伸縮可能に装着されている。また、表示部１と操作部２とが一体に折り畳まれた状態では、表示部１の外面には例えば液晶表示素子から成る副表示画面１Ｂとともに、例えばＣＣＤ（Charge Coupled Device)ディジタル撮像素子から成るカメラ５が、さらに、操作部２の側面には後述するようなカメラを起動するためのシャッタキー６が備えられている。
【００２０】
次に、図２のブロック図を参照して、この例の折り畳み式カメラ付き携帯電話１０の構成を説明する。
同折り畳み式カメラ付き携帯電話１０は、図２に示すように、伸縮可能な送受信用アンテナ４の伸張状態あるいは収納状態を検出するアンテナ伸張／収納状態検出回路７と、アンテナ伸張／収納状態検出回路７から出力される検出信号に基づいてアンテナ４が伸張しているときその伸張時間を検出するアンテナ伸張時間検出回路８と、アンテナ伸張時間検出回路８から出力される検出信号に基づいて携帯電話１０の開状態（折り畳まれていない状態）あるいは閉状態（折り畳まれた状態）を検出する携帯電話開状態／閉状態検出回路９と、携帯電話開状態／閉状態検出回路９から出力される検出信号に基づいて携帯電話１０が閉状態であるときシャッタキー６を動作可能に制御するシャッタキー制御回路１１と、携帯電話開状態／閉状態検出回路９から出力される検出信号に基づいて携帯電話１０が閉状態であるときカメラ５を起動可能に制御するとともに、主表示画面１Ａ及び副表示画面１Ｂを表示可能に制御するカメラ起動／画面表示制御回路１２と、アンテナ伸張／収納状態検出回路７から出力される検出信号に基づいて内蔵しているアンテナマッチング回路の切り替えを行うアンテナマッチング切替回路１３とを備えている。
【００２１】
アンテナ伸張／収納状態検出回路７は、図２及び図３に示すように、表示部１の内部に設けられた可動接片１４Ａと固定接点１４Ｂとから構成される第１のスイッチ１４を有し、アンテナ４が表示部１に収納されるときにその下端部４Ａが図３で右方向に移動することにより、この下端部４Ａが可動接片１４Ａの固定接点１４Ｂ側の端部を押圧したとき、可動接片１４Ａのその端部を押し下げて固定接点１４Ｂに接触させることで第１のスイッチ１４をオンさせる。第１のスイッチ１４の一方側の導電体である可動接片１４Ａには常時例えば３Ｖの電圧が印加されている一方、他方側の導電体である固定接点１４Ｂは接地されている。したがって、アンテナ４が伸張状態にあるときは第１のスイッチ１４がオフしているので、アンテナ伸張／収納状態検出回路７は、Ｈ（High）レベル信号を検出信号として出力する。一方、上述のようにアンテナ１４が収納状態にあるときは第１のスイッチ１４がオンしているので、アンテナ伸張／収納状態検出回路７は、Ｌ（Low）レベル信号を検出信号として出力する。
【００２２】
アンテナ伸張時間検出回路８は、カウンタ（図示せず）を内蔵していて、図４に示すように、時刻ｔ１においてアンテナ伸張／収納状態検出回路７から検出信号としてアンテナ４の伸張状態に相当したＨレベル信号が入力されると、伸張時間の検出を開始する。そして、アンテナ伸張時間検出回路８は、予め検出制限時間Ｘ秒を設定して、このＸ秒以内である例えば時刻ｔ２においてアンテナ４が再び収納状態になって収納状態に相当したＬレベル信号が入力されたときに伸張時間の検出を終了して、伸張時間の検出信号（例えばＨレベル信号）を出力するように構成されている。一方、Ｘ秒以降も伸張状態が維持されているときは、検出信号（伸張時間が反映されない検出信号）として例えばＬレベル信号を出力するように構成されている。検出制限時間Ｘ秒を設定するのは、後述するようにカメラを起動させる際に、一定時間Ｘ秒を越える時間までいたずらに伸張状態を維持したときにはカメラ起動を不可能にし、Ｘ秒以内に迅速にアンテナ４の伸張状態と収納状態とを順次に切り替えたときのみカメラ起動を可能にして、カメラ起動の行為を周囲に容易に気付かせるための配慮である。その検出制限時間Ｘ秒は、アンテナ４の伸縮時の機械的動き等を考慮して決定される。
【００２３】
携帯電話開状態／閉状態検出回路９は、図５に示すように、操作部２の内部に設けられた可動接点１５Ａと固定接点１５Ｂとから構成される第２のスイッチ１５を有し、表示部１がヒンジ部３を介して操作部２に向かって矢印方向に移動して携帯電話１０が閉じられるときに、表示部１の内面１ａが可動接点１５Ａを押し下げて固定接点１５Ｂに接触させることで第２のスイッチ１５をオンさせる。そして、携帯電話開状態／閉状態検出回路９は、携帯電話１０が開状態にあるときは第２のスイッチ１５がオフしていることにより、検出信号として例えばＬレベル信号を出力し、一方携帯電話１０が閉状態にあるときは第２のスイッチ１５がオンすることにより、検出信号として例えばＨレベル信号を出力する。
【００２４】
シャッタキー制御回路１１は、携帯電話１０が閉状態でのシャッタキー６の操作を有効状態あるいは無効状態とするように切り替える切替回路を内蔵していて、携帯電話開状態／閉状態検出回路９から検出信号として閉状態に相当したＨレベル信号が入力されると、閉状態でのシャッタキー６の操作が無効状態である場合は有効状態となるように切り替える。もし、閉状態でのシャッタキー６の操作が有効状態になっている場合はこの状態を維持する。
【００２５】
カメラ起動／画面表示制御回路１２は、携帯電話開状態／閉状態検出回路９から検出信号として閉状態に相当したＨレベル信号が入力されると、閉状態でカメラ５が起動していない場合は、カメラ起動信号としてカメラ５が起動するような電源オン信号を出力して、カメラ５を起動させる。同様にして、閉状態で主表示画面１Ａ及び副表示画面１Ｂが起動していない場合は、両表示画面１Ａ、１Ｂが起動するような電源オン信号を出力して、主表示画面１Ａ及び副表示画面１Ｂを起動させる。
【００２６】
アンテナマッチング切替回路１３は、インダクタＬ１とキャパシタＣ１との並列回路１６Ａと、ダイオードＤに並列接続されたインダクタＬ２とキャパシタＣ２との直列回路１６Ｂとから成るマッチング回路を有し、アンテナ伸張／収納状態検出回路７から入力される検出信号に応じてマッチング回路を最適化させるように切り替えて、アンテナ４が伸張／収納状態のいずれにおいてもアンテナ利得が得られるように構成されている。まず、アンテナ伸張／収納状態検出回路７から検出信号としてアンテナ４の伸張状態に相当したＨレベル信号が入力されると、アンテナマッチング切替回路１３は、ダイオードＤがオンするので、ダイオードＤ以降の回路がアンテナ４に接続される。このとき、並列回路１６Ａはインピーダンスがオープンになるように整合がとられているので、ダイオードＤ以降の回路はアンテナ４から見たインピーダンスには影響を与えない。一方、アンテナ伸張／収納状態検出回路７から検出信号としてアンテナ４の収納状態に相当したＬレベル信号が入力されると、アンテナマッチング切替回路１３は、ダイオードＤがオフするので、直列回路１６Ｂによりマッチング回路のインピーダンスが変化する。このような構成により、アンテナ４の伸張／収納状態のいずれにおいても、アンテナインピーダンスの変化に対してマッチング回路を最適化するように図られている。
【００２７】
次に、図６のフローチャートを参照して、この例の折り畳み式カメラ付き携帯電話１０の動作について説明する。
まず、アンテナ４の伸張あるいは収納が行われる（ステップＳ１）。この例では、アンテナ４を伸張させることを動作の基本としているので、（ステップＳ１）ではアンテナ４を伸張させる場合が対象となる。次に、アンテナ伸張／収納状態検出回路７から検出信号であるアンテナ４の伸張状態に相当したＨレベル信号がアンテナ伸張時間検出回路８に入力され、アンテナ伸張時間検出回路８において検出されたアンテナ伸張時間に基づいて、アンテナ４が検出制限時間Ｘ秒以内に収納されたか否かが判定される（ステップＳ２）。アンテナ４が検出制限時間Ｘ秒以内に収納されない場合は、カメラの起動は行われない（ステップＳ９）ので、動作は終了する。
【００２８】
アンテナ４が検出制限時間Ｘ秒以内に収納された場合は、アンテナ伸張時間検出回路８から検出信号であるＬレベル信号が携帯電話開状態／閉状態検出回路９に入力されて、携帯電話開状態／閉状態検出回路９の動作に基づいて、携帯電話１０が開状態か閉状態かが判定される（ステップＳ３）。携帯電話１０が開状態である場合は、カメラの起動は行われない（ステップＳ９）ので、動作は終了する。
【００２９】
携帯電話１０が閉状態である場合は、現在携帯電話１０が通話中か否かが判定される（ステップＳ４）。携帯電話１０が通話中である場合は、カメラの起動は行われない（ステップＳ９）ので、動作は終了する。
【００３０】
携帯電話１０が通話中でない場合は、カメラが起動しているか否かが判定される（ステップＳ５）。カメラが起動している場合は、（ステップＳ７）に移る。
カメラが起動していない場合は、カメラが起動される（ステップＳ６）。
【００３１】
次に、携帯電話開状態／閉状態検出回路９から、シャッタキー制御回路１１に入力された閉状態に相当した検出信号であるＨレベル信号に基づいて、シャッタキー６の操作が有効状態か無効状態かが判定される（ステップＳ７）。シャッタキー６の操作が有効状態になっている場合、シャッタキー制御回路１１はこの状態を維持するので、動作は終了する。
【００３２】
シャッタキー６の操作が無効状態になっている場合は、シャッタキー制御回路１１はこの無効状態を解除して有効状態に切り替える（ステップＳ８）。また、カメラ起動／画面表示制御回路１２は、検出信号として閉状態に相当したＨレベル信号が入力されると、閉状態でカメラ５が起動していない場合は、カメラ起動信号としてカメラ５が起動するような電源オン信号を出力して、カメラ５を起動させるととともに、閉状態で主表示画面１Ａ及び副表示画面１Ｂが起動していない場合は、両表示画面１Ａ、１Ｂが起動するような電源オン信号を出力して、主表示画面１Ａ及び副表示画面１Ｂを起動させる。
【００３３】
以上の説明のように、この例の折り畳み式カメラ付き携帯電話１０によれば、携帯電話が折り畳まれた状態でもカメラを起動させることができるような構成において、アンテナ４の伸張状態あるいは収納状態を検出するアンテナ伸張／収納状態検出回路７からアンテナ４の伸張状態に相当した検出信号が出力されると、アンテナ伸張時間検出回路８は伸張時間の検出を開始して検出制限時間Ｘ秒以内にアンテナ４が収納されると伸張時間の検出を終了して、伸張時間の検出信号を携帯電話開状態／閉状態検出回路９に出力する。次に、その伸張時間検出信号に基づいて携帯電話開状態／閉状態検出回路９は、携帯電話１０が開状態にあるときは閉状態となした検出信号をシャッタキー制御回路１１及びカメラ起動／画面表示制御回路１２に出力する。次に、その検出信号に基づいてシャッタキー制御回路１１は、閉状態でのシャッタキー６の操作が無効状態である場合は有効状態となるように切り替える。同時に、その検出信号に基づいてカメラ起動／画面表示制御回路１２は、閉状態でカメラ５が起動していない場合は、カメラ起動信号としてカメラ５が起動するような電源オン信号を出力して、カメラ５を起動させ、同様にして、閉状態で主表示画面１Ａ及び副表示画面１Ｂが起動していない場合は、両表示画面１Ａ、１Ｂが起動するような電源オン信号を出力して、主表示画面１Ａ及び副表示画面１Ｂを起動させる。
【００３４】
この結果、携帯電話１０が折り畳まれた状態でカメラ５を起動させる場合、アンテナ５を検出制限時間Ｘ秒以内に伸張状態と収納状態とを順次に切り替えたときのみカメラ起動を可能にすることができるので、カメラ起動の行為を周囲に容易に気付かせることができるようになる。それゆえ、従来のようにアンテナ５が折り畳まれた状態のままでは、カメラ起動が不可能になるので、盗撮を目的とするような悪意を持ったカメラ撮影を防止することができる。また、この例の携帯電話１０を用いてカメラ起動を可能にするには、上述のようにアンテナ５を切り替える操作を行うだけで、自動的に行わせることができるので、何ら複雑な操作は必要としない。
【００３５】
このように、この例の折り畳み式カメラ付き携帯電話１０の構成によれば、文字情報又は画像情報を表示する表示部１と、複数の情報入力用キーが配置されている操作部２とが一体に折り畳み可能に構成されるとともにカメラ５を備え、折り畳まれた状態でもカメラ５を起動させることができるように構成されて成る折り畳み式カメラ付き携帯電話１０において、伸縮可能な送受信用アンテナ５と、アンテナ５の伸張状態あるいは収納状態を検出するアンテナ伸張／収納状態検出回路７と、アンテナ伸張／収納状態検出回路７から出力される検出信号に基づいて、アンテナ５が伸張しているときこのアンテナ５の伸張時間を検出するアンテナ伸張時間検出回路８と、アンテナ伸張時間検出回路８から出力される検出信号に基づいて、携帯電話１０が折り畳まれていない開状態あるいは折り畳まれている閉状態を検出する携帯電話開状態／閉状態検出回路９と、携帯電話開状態／閉状態検出回路９から出力される検出信号に基づいて、携帯電話１０が閉状態であるときカメラ５を起動させるシャッタキー６を動作可能に制御するシャッタキー制御回路１１とを少なくとも備えているので、アンテナ５の伸張時間に応じてカメラ起動を可能にすることができる。
したがって、携帯電話が折り畳まれた状態でカメラを起動させる場合は、カメラ起動の行為を周囲に容易に気付かせることができる。
【００３６】
以上、この発明の実施例を図面により詳述してきたが、具体的な構成はこの実施例に限られるものではなく、この発明の要旨を逸脱しない範囲の設計の変更などがあってもこの発明に含まれる。例えば、実施例ではアンテナを携帯電話の表示部に装着した例で説明したが、これに限らずアンテナは操作部に装着するようにしてもよい。また、実施例ではシャッタキーを操作部の側面に設ける例で説明したが、これに限らずシャッタキーは携帯電話を折り畳んだ場合に操作の妨げにならない位置に設ければよい。また、実施例の各検出回路において説明した検出信号としてのＨレベル信号あるいはＬレベル信号は、必要に応じていずれかのレベル信号を任意に選択することができる。また、実施例では携帯電話に適用した例で説明したが、携帯電話に限らずに、ＰＤＡ（Personal Digital Assistants:個人向け携帯型情報通信機器）、携帯用ＧＰＳ(Global Positioning System)等の携帯用の電子機器一般に適用することができる。
【図面の簡単な説明】
【００３７】
【図１】この発明の実施例である折り畳み式カメラ付き電子機器の折り畳み前後の形態を概略的に示す図である。
【図２】同折り畳み式カメラ付き電子機器の構成を示すブロック図である。
【図３】同折り畳み式カメラ付き電子機器の一部の構成を概略的に示す側面図である。
【図４】同折り畳み式カメラ付き電子機器の一部の構成の動作を示す図である。
【図５】同折り畳み式カメラ付き電子機器の一部の構成を概略的に示す側面図である。
【図６】同折り畳み式カメラ付き電子機器の動作を示すフローチャートである。
【図７】従来の折り畳み式カメラ付き電子機器の構成を概略的に示す斜視図である。
【符号の説明】
【００３８】
１    表示部
１Ａ    主表示画面
１Ｂ    副表示画面
１ａ    内面
２    操作部
２Ａ    情報入力用キー
３    ヒンジ部
４    送受信用アンテナ
４Ａ    アンテナの下端部
５    カメラ
６    シャッタキー
７    アンテナ伸張／収納状態検出回路
８    アンテナ伸張時間検出回路
９    携帯電話開状態／閉状態検出回路
１０    折り畳み式カメラ付き携帯電話（電子機器）
１１    シャッタキー制御回路
１２    カメラ起動／画面表示制御回路
１３    アンテナマッチング切替回路
１４    第１のスイッチ
１４Ａ    可動接片
１４Ｂ    固定接点
１５    第２のスイッチ
１５Ａ    可動接点
１５Ｂ    固定接点
１６Ａ    並列回路
１６Ｂ    直列回路
【図１】
2005142998.tif 000003
【図２】
2005142998.tif 000004
【図３】
2005142998.tif 000005
【図４】
2005142998.tif 000006
【図５】
2005142998.tif 000007
【図６】
2005142998.tif 000008
【図７】
2005142998.tif 000009